(57)【要約】【課題】コピー回数の制限をした映像コンテンツおいては、ダビング動作は許可されないが、データ移動であれば許可されるケースが考えられる。一時的に記録したハードディスクのような記録媒体からＤＶＤ−Ｒなどの記録媒体に移動するとき、不完全なデータ移動の場合であってもハードディスク側データ移動元を消去してしまう問題がある。【解決手段】前記データの移動条件に基づいてデータの移動の結果を判定する判定手段を設けることにより、データ移動の失敗を防止することができ、データ移動が不完全な状態において、ＨＤＤ側のデータ移動元のデータを消去してしまう心配がなくなる。【選択図】  図１
2005353180.tif 000002
【特許請求の範囲】
【請求項１】
第一の記録媒体と第二の記録媒体を用いるデータ処理装置において、
第一の記録媒体からデータを前記第二の記録媒体へデータ移動する手段と、
データの移動条件を設定する手段と、
前記データの移動条件に基づいてデータの移動の結果を判定する判定手段とを有し、
前記判定手段の結果を用いてデータ移動処理を完了することを特徴とするデータ処理装置。
【請求項２】
請求項１記載のデータ処理装置において、
前記データの移動条件は、ユーザの操作により論理が設定されるスイッチ入力手段であって、
前記判定手段は、前記スイッチ入力手段により入力される論理信号が真である時にデータの移動処理を完了することを特徴とするデータ処理装置。
【請求項３】
請求項１記載のデータ処理装置において、
前記第二の記録媒体はリムーバブル記録媒体であって、
前記リムーバブル記録媒体を排出するイジェクト手段を備え、
前記データの移動は、前記リムーバブル記録媒体の排出にともなって完了する
ことを特徴とするデータ処理装置。
【請求項４】
第一の記録媒体と第二の記録媒体を用いるデータ処理装置において、
第一の記録媒体から前記データを前記第二の記録媒体へデータ移動する手段と、
データの移動条件を設定する手段と、
前記第一の記録媒体のデータを消去するデータ消去手段と、
前記データの移動条件に基づいてデータの移動の結果を判定する判定手段とを有し、
前記データ移動を行い、かつ前記判定手段の結果を用いて前記第一の記録媒体のデータを消去することを特徴とするデータ処理装置。
【請求項５】
請求項４記載のデータ処理装置において、
前記データの移動条件は、ユーザの操作により論理が設定されるスイッチ入力手段であって、
前記条件判定手段は、前記スイッチ入力手段により入力される論理信号が真である時にデータの移動処理を完了することを特徴とするデータ処理装置。
【請求項６】
請求項４記載のデータ処理装置において、
前記第二の記録媒体はリムーバブル記録媒体であって、
前記リムーバブル記録媒体を排出するイジェクト手段を備え、
前記データの移動は、前記リムーバブル記録媒体を排出ともなって完了する
ことを特徴とするデータ処理装置。
【請求項７】
請求項１及び請求項４記載のデータ処理装置において、
前記第二の記録媒体のデータの移動データと、前記第一のデータの移動元データのデータ比較状態を検出するベリファイ手段を備え、
前記データ比較状態の検出結果を前記判定手段の判定に用いる
ことを特徴とするデータ処理装置。
【請求項８】
請求項７記載のデータ処理装置において、
前記ベリファイ結果をデータ移動成功率としてユーザに告知すること
を特徴とするデータ処理装置。
【請求項９】
請求項７記載のデータ処理装置において、
データの移動条件を設定する手段は、
前記データ移動成功率をあらかじめ設定するデータ移動成功率設定手段であり、
データの移動条件であるデータ移動成功率と前記ベリファイ手段による前記データ比較状態の検出結果とを前記判定手段の判定に用いる
ことを特徴とするデータ処理装置。
【請求項１０】
請求項１及び請求項４記載のデータ処理装置において、
前記データの所定データ長毎にデータ移動マークを付加する手段を備えて成る
ことを特徴とするデータ処理装置。
【請求項１１】
第一の記録媒体と第二の記録媒体を用いるデータ処理装置において、
記録するデータは、時間情報を含む映像デジタル信号であって、
前記第一の記録媒体のデータの所定時間長毎にデータ移動マークを付加する手段と、
前記データ移動マークを含む前記データを前記第二の記録媒体へデータ移動する手段と、
前記データ移動マークをセットあるいはリセットするデータ移動マーク設定手段とを備え、
データの移動条件を設定する手段と、
前記データの移動条件に基づいてデータの移動の結果を判定する判定手段とを有し、
前記判定手段の判定を用いて前記データ移動マークを設定する
ことを特徴とするデータ処理装置。
【請求項１２】
請求項１１に記載のデータ処理装置において、
前記判定手段の判定を用いて前記データ移動マークの値に従い前記データを消去する
ことを特徴とするデータ処理装置。
【請求項１３】
請求項７記載のデータ処理装置において、
前記データは、映像デジタルデータであって、
前記データ比較の結果、データ不一致となる前記第二の記録媒体の位置情報を記憶する手段と、
前記位置情報を基に、前記映像デジタルデータを読み出す手段を備えること
を特徴とするデータ処理装置。
【請求項１４】
請求項１記載のデータ処理装置において、
前記第二の記録媒体はデータ管理部とデータ部から構成される
リムーバブル記録媒体であって、
前記第二の記録媒体の移動データと、前記第一の移動元データのデータ比較状態を検出
するベリファイ手段を有し、
前記データ比較状態結果に応じて、前記データ管理部に無効データを上記録すること
を特徴とするデータ処理装置。
【発明の詳細な説明】
【技術分野】
【０００１】
本発明は、データを異なる記録媒体間で移動するデータ処理装置に関する。
【背景技術】
【０００２】
特許文献１に示されるように、パソコンにおけるデータ移動の際に、パソコンであるが故に、ベリファイを行い１００％データが一致した時に移動を行なうものがある。
【０００３】
【特許文献１】特開２００１−１０１７９０号公報
【発明の開示】
【発明が解決しようとする課題】
【０００４】
映像、音楽などをＭＰＥＧ（Ｍｏｖｉｎｇ  Ｐｉｃｔｕｒｅ  Ｅｘｐｅｒｔｓ
Ｇｒｏｕｐ）デジタル圧縮し、ハードディスク、記録型光ディスクに記録するビデオレコーダが存在する。ハードディスクは、大容量（たとえば３００ＧＢ〜５００ＧＢ）であり、記録再生のデータが高速（たとえば、２０ＧＢ／秒）な利点はあるものの、記録容量は有限値であり、リムーバブル性がない固定メディアであるがゆえ、定期的にハードディスクのデータを消去あるいは、必要に応じてデータバックアップが余儀なくされる。
【０００５】
一方、記録型光ディスクは、ハードディスクに比較して容量は少ない（たとえば、ＤＶＤ−Ｒ／４．７ＧＢ）などの欠点はあるが、リムバブルメディア且つ記録媒体価格も安価であることから、ストレージライブラリとして無限である。近年、これら２つの記録媒体がひとつの記録装置に搭載されたハイブリッドビデオレコーダが製品化されている。
ハイブリッドビデオレコーダとすることで、一旦ハードディスクへ記録した映像、音楽コンテンツを選択的に記録型光ディスクへダビングすることができる。
【０００６】
ハードディスク、記録型光ディスクをはじめとするストレージ媒体は、映像、音楽において、記録再生時に発生するデータエラーを許しているケースが多い。映像、音声データの場合は、コンピュータなどのデータとは異なり、少々のデータエラーが発生した場合においても映像、音声の品位が若干低下、あるいは短時間（たとえば数フレーム）映像乱れは発生するケースがあるが、映像や音声が再生できなくなるなどの破綻はきたさないという特徴がある。このように、データエラーが発生した状態にもかかわらず記録再生を行う方法（ストリーム記録再生）は、映像、音声を扱うデジタルストレージで多く使われている。
【０００７】
一方、ハードディスクは、記録特性を決定づける記録媒体が一意的に決められており、記録再生特性は、該記録媒体にベストチューニングされている。そのため記録再生でデータエラーを発生する確率は低い。
しかし記録型光ディスク（以下ここではＤＶＤ−Ｒとするがこれに限定はされない）ＤＶＤ−Ｒは、リムーバブルであることから、記録毎に記録特性、再生特性をチューニングする必要があり、該チューニング精度の問題、記録媒体の特性固有差が大きい、などの要因によりハードディスクに比較して、データエラー発生率は高い。
【０００８】
このようなＤＶＤ−Ｒに対して、一旦ハードディスクへ記録した映像、音声データをコピーすると、データエラーが多い状態でダビングを行ってしまうことになる。データエラーが視聴上問題となるレベルと判断される状態であるならば、コピーは失敗という結果になる。また、前記データエラーの許容範囲も、映像データにおいてはユーザ毎に異っている。
【０００９】
次に、映像データをコピーすることに関して、著作権上コピーを１回も許可しない映像コンテンツ、あるいは、コピー回数の制限をした映像コンテンツが多くなっている。このようなコンテンツにおいては、前記ダビング動作は許可されないが、データ移動であれば許可されるケースが考えられる。
【００１０】
しかし、上記のようにハードディスクからＤＶＤ−Ｒなどへの不完全なデータ移動を適用した場合、ハードディスク側データ移動元を消去してしまう問題がある。
【課題を解決するための手段】
【００１１】
上記課題を解決するため、第一の記録媒体と第二の記録媒体を用いるデータ処理装置において、第一の記録媒体からデータを前記第二の記録媒体へデータ移動する手段と、データの移動条件を設定する手段と、前記データの移動条件に基づいてデータの移動の結果を判定する判定手段とを有し、前記判定手段の結果を用いてデータ移動を行うことを特徴とするデータ処理装置とする。
【００１２】
さらに、上記データ処理装置において、前記データの移動条件は、ユーザの操作により論理が設定されるスイッチ入力手段であって、前記判定手段は、前記スイッチ入力手段により入力される論理信号が真である時にデータの移動することを特徴とするデータ処理装置とする。
【００１３】
さらに、前記第二の記録媒体はリムーバブル記録媒体であって、前記リムーバブル記録媒体を排出するイジェクト手段を備え、前記データの移動は、前記リムーバブル記録媒体の排出にともなって完了することを特徴とするデータ処理装置とする。
【００１４】
また、第一の記録媒体と第二の記録媒体を用いるデータ処理装置において、第一の記録媒体から前記データを前記第二の記録媒体へデータ移動する手段と、データの移動条件を設定する手段と、前記第一の記録媒体のデータを消去するデータ消去手段と、前記データの移動条件に基づいてデータの移動の結果を判定する判定手段とを有し、前記判定手段の結果を用いてデータ移動を行い、かつ前記第一の記録媒体のデータを消去することを特徴とするデータ処理装置とする。
【００１５】
さらに、上記データ処理装置において、前記データの移動条件は、ユーザの操作により論理が設定されるスイッチ入力手段であって、前記条件判定手段は、前記スイッチ入力手段により入力される論理信号が真である時にデータの移動することを特徴とするデータ処理装置とする。
【００１６】
さらに、上記データ処理装置において、前記第二の記録媒体はリムーバブル記録媒体であって、前記リムーバブル記録媒体を排出するイジェクト手段を備え、前記データの移動は、前記リムーバブル記録媒体を排出ともなって完了することを特徴とするデータ処理装置とする。
【００１７】
また、上記データ処理装置において、前記第二の記録媒体のデータの移動データと、前記第一のデータの移動元データのデータ比較状態を検出するベリファイ手段を備え、前記データ比較状態の検出結果を前記判定手段の判定に用いることを特徴とするデータ処理装置とする。
【００１８】
さらに、上記データ処理装置において、前記ベリファイ結果をデータ移動成功率としてユーザに告知することを特徴とするデータ処理装置とする。
【００１９】
さらに、上記データ処理装置において、データの移動条件を設定する手段は、前記データ移動成功率をあらかじめ設定するデータ移動成功率設定手段であり、データの移動条件であるデータ移動成功率と前記ベリファイ手段による前記データ比較状態の検出結果とを前記判定手段の判定に用いることを特徴とするデータ処理装置とする。
【００２０】
さらに、上記データ処理装置において、前記データの所定データ長毎にデータ移動マークを付加する手段を備えて成ることを特徴とするデータ処理装置とする。
【００２１】
また、第一の記録媒体と第二の記録媒体を用いるデータ処理装置において、記録するデータは、時間情報を含む映像デジタル信号であって、前記第一の記録媒体のデータの所定時間長毎にデータ移動マークを付加する手段と、前記データ移動マークを含む前記データを前記第二の記録媒体へデータ移動する手段と、前記データ移動マークをセットあるいはリセットするデータ移動マーク設定手段とを備え、データの移動条件を設定する手段と、前記データの移動条件に基づいてデータの移動の結果を判定する判定手段とを有し、
前記判定手段の判定にを用いて前記データ移動マークを設定することを特徴とするデータ処理装置とする。
【００２２】
さらに、上記データ処理装置において、前記判定手段の判定を用いて前記データ移動マークの値に従い前記データを消去することを特徴とするデータ処理装置とする。
【００２３】
さらに、上記データ処理装置において、前記データは、映像デジタルデータであって、前記データ比較の結果、データ不一致となる前記第二の記録媒体の位置情報を記憶する手段と、前記位置情報を基に、前記映像デジタルデータを読み出す手段を備えること
を特徴とするデータ処理装置とする。
【００２４】
また、前記データ処理装置において、前記第二の記録媒体はデータ管理部とデータ部から構成されるリムーバブル記録媒体であって、前記第二の記録媒体の移動データと、前記第一の移動元データのデータ比較状態を検出するベリファイ手段を有し、前記データ比較状態結果に応じて、前記データ管理部に無効データを上記録することを特徴とするデータ処理装置とする。
【発明の効果】
【００２５】
以上のように、本発明によれば、ユーザーニーズに合った信頼性の高いデータ処理装置が得られる。
【発明を実施するための最良の形態】
【００２６】
本発明を適用したデータ処理装置構成例について図１を参照して説明する。このデータ処理装置は、映像、音楽などのデジタルデータ（以下ＡＶデータ）を蓄積記録する第一の記録媒体１（ハードディスク：以下ＨＤＤ）と、ＨＤＤ内のＡＶデータを選択的に第二の記録媒体２（記録型光ディスク：以下ＤＶＤ−Ｒ）へデータ移動を行う構成である。
【００２７】
なお第一の記録媒体及び第二の記録媒体は、本実施例を説明するためのものであって、前記記録媒体に限定されることはなく、半導体メモリ、光ディスクなどのいかなる記録媒体であってもよい。
【００２８】
また、前記ＡＶデータは、実施例を説明する上だけのものであり、ＡＶデータに限定されないいかなるデータであっても良い。また前記「データ移動」は、ＨＤＤからＤＶＤ−Ｒへのデータ移動を例に説明をするが、データ移動方向は本実施例に限定されることはない。
【００２９】
特に、著作権を保護されているＡＶデータにおいては、データコピー回数を制限するあるいは、複製許可認証などを行うことで、複製を可能とされる場合もあるが、この場合はデータ移動にかかわらず、複製すべき場合においても本実施例は適用される。
【００３０】
図１の１は、ＨＤＤであって、ＡＶデータが格納されている状態を示す。ＡＶデータは、ここでは図示しないが、デジタルテレビジョン放送、あるいは、インターネットから取得した映像、音声などのコンテンツデータである。ＡＶデータは、所定データ長あるいは所定データサイズ毎、あるいは映像データであれば、所定時間分のデータ毎に８のデータ＃０１、９のデータ＃０２、１０のデータ＃０３、１１のデータ＃０４、１２のデータ＃ｎのデータブロック毎に分割されている。この分割は、コンテンツ毎あるいは、１つのコンテンツ分割毎であっても良い。ここでは、説明をわかりやすくするために、１つのコンテンツＡＶデータを、固定長の2048バイト毎に分割した状態として説明をする。
【００３１】
前記分割されたデータ毎に、マスターフラグデータ（ＭＦ）をデータ冗長する。このＭＦデータは、前記データブロック毎の状態フラグであり、所定条件によりデータセットされる。ここでは、動作説明をわかりやすくするために、ＭＦデータは、データブロック毎に付加する構成を成すが、図示しないＨＤＤ内にデータ管理領域を確保し、該管理領域にＭＦを設定する構成であってもよい。
【００３２】
３のＭＦ１は、データ＃０１の状態管理を示すフラグ、４のＭＦ２は、データ＃０２の状態管理を示すフラグ、５のＭＦ３は、データ＃０３の状態管理を示すフラグ、６のＭＦ４は、データ＃０４の状態管理を示すフラグ、７のＭＦｎは、データ＃ｎの状態管理を示すフラグである。一方データ移動先の２のＤＶＤ−Ｒは、ＭＦデータを含まない１８のデータ＃０１、１９のデータ＃０２、２０のデータ＃０３、２１のデータ＃０４、からなる。２のＤＶＤ−Ｒ側にデータは、１のＨＤＤ内のデータの内、選択されたデータである。
【００３３】
８のデータ＃０１から１１のデータ＃０４データを１のＨＤＤから２のＤＶＤ−Ｒへ移動する動作を説明する。移動対象とするデータは、８のデータ＃０１から１１のデータ＃０４の４つのデータブロックと仮定する。マイコン２９は、１のＨＤＤから８のデータ＃０１から１１のデータ＃０４までの４つのデータブロックを読み出すように、読み出し制御部（ＲＤ部）に読み出しコマンドをデータバス２８を介在して送信する。ＲＤ部は、１のＨＤＤより、ＭＦ１からＭＦ４を除外したデータ＃０１からデータ＃０４の読み出しを行い、データバス２８に送出する。
【００３４】
マイコン２９は、データバス２９上のデータ＃０１からデータ＃０４を２のＤＶＤ−Ｒへ記録するために、書き込み制御部（ＷＲ部）に書き込みコマンドをデータバス２８を介在して送信し、順次前記データを２７のＷＲ部へ取り込み、２のＤＶＤ−Ｒへ記録を行う。
【００３５】
次に、２３のマーク設定部は、１のＨＤＤ内のデータ移動の対象となるデータブロックに対応したＭＦへ、８のデータ＃０１から１１のデータ＃０４が、２のＤＶＤ−Ｒへデータ移動されたことを示すマークデータが記録される。ここでは、動作を説明する上で前記マークデータとして、データ移動された当該データブロックの３のＭＦ１から６のＭＦ４には「００」を記録し、データ移動されていない当該データブロックに対応した他ＭＦｎには「ＦＦ」を記録する。
【００３６】
以上の動作により、１のＨＤＤのデータブロックに対して、データ移動を実行したことを示すマークデータを付加することができる。
【００３７】
前記マークデータは、例えば、２のＤＶＤ−Ｒへデータ移動後に、前記マークデータの状態に応じて、データブロックの消去、データブロックの読み出し禁止、などのデータ操作が一括して行うことができる。
【００３８】
なお、本実施例ではデータに移動状態を示すマークデータを付けて管理したが、例えばマイコンの中のメモリ等でこのデータを管理手もよく、必ずしもデータに移動状態を示すマークデータを付けて無くてもよい。
【００３９】
次に、本実施例で重要である３０の条件判定部について説明する。前記２３のマーク設定部は、１のＨＤＤから２のＤＶＤ−Ｒへデータの移動の為の複写完了時点において、前記ＭＦにマークデータを記録するが、本実施例では、さらに入力条件３１から入力される条件を満たさなければ、前記ＭＦにマークデータを記録しない構成とする。
【００４０】
したがって、１のＨＤＤから所望のデータブロックを２のＤＶＤ−Ｒへ移動しただけでは、ＭＦマークデータは変化しない、すなわちデータ移動は完了しない。
【００４１】
ここでいう条件入力部３１は、８のデータ＃０１から１１のデータ＃０４が、２のＤＶＤ−Ｒへ記録動作後のＤＶＤ−Ｒから読み出しデータと比較動作（以下ベリファイ）を行い、正常に書き込みができていることを条件入力として設定する。３０の条件判定部は、前記ベリファイ結果によりデータエラーがないことを判定し、マイコン２９に判定結果を送出する。マイコン２９は、マーク設定部２９にＭＦのマークデータ記録コマンドを送出する。
２３のマーク設定部は、前記コマンドを受信することにより、ＭＦ１からＭＦ４に「ＦＦ」のデータを設定する。
【００４２】
以上、データ移動を完結する条件判定結果を設けることにより、データ移動の失敗を防止することができ、データ移動が不完全な状態において、ＨＤＤ側のデータ移動元のデータを消去あるいは読み出し制御を行う心配がなくなる効果は大である。
前記実施例は、前記３１の条件入力に、ベリファイ（データ完全一致）を例に説明したが、前記条件を以下の実施例で示す内容に変更することで、さらなる大きな効果がきたい期待できる。以下にデータ条件入力部背３１の具体例を以下の実施例で詳しく説明する。
【００４３】
次に、前記条件入力の具体例について図２を用いて説明する。図１と同一機能ブロックについての説明は省略する。
【００４４】
また、以下実施例において、「データ移動」という表現を用いるが、データ移動するの場合、データを移動元から移動先へ複写コピーし、複写した移動先のデータを再生等で確認し、複写が成功したならば移動元データを消去することでデータ移動を完了し、また、移動先への複写コピーが成功しなかったら再複写コピーを促がす表示をする等、確実な移動を実現する物である。
【００４５】
１のＨＤＤから２のＤＶＤ−Ｒへ８のデータ＃０１から１１のデータ＃０４の移動動作については、前記同様である。次にマイコン２９は、前記移動したＡＶデータを２のＤＶＤ−Ｒから読み出しを行うようにＲＤ部７０にコマンドを送出する。ＲＤ部７０は、１８のデータ＃０１から２１のデータ＃０４の読み出しを行い、７１のAVデコーダに送出する。７１のAVデコーダは、前記AVデータを元の映像信号に復調し、表示部３２に映像を表示する。ユーザは、データ移動の為の複写AVデータが問題ないことをユーザがモニタリングを行うことができる。
【００４６】
また、ユーザは、移動元のデータと起動先のデータを選択的にモニタリングすることができる。入力端子８２から、メディア選択信号をマイコン２９へ入力する。メディア選択が「ＨＤＤ」に選択された場合は、２５のＲＤ部に対してＡＶデータ読み出しコマンドを送出し、２８のデータバスへＨＤＤからの８のデータ＃０１から１１のデータ＃０４のＡＶデータを送出し、前記７１のＡＶデコーダ及び表示部３２により移動元のマスター映像を視聴することができる。
【００４７】
一方、メディア選択が「ＤＶＤ−Ｒ」に選択された場合は、マイコン２９は、７０のＲＤ部に対してＡＶデータ読み出しコマンドを送出し、２８のデータバスへＤＶＤ−Ｒからの１８のデータ＃０１から２１データ＃０４のＡＶデータを送出し、前記７１のＡＶデコーダ及び表示部３２により移動先のスレーブ映像を視聴することができる。
【００４８】
ユーザが選択したデータの移動動作を終了すると、マイコン２９は、３２の表示部に、データ移動完了の表示告知を行い、次にユーザに対してデータ移動完了決定の判断入力を要求する。ユーザは、前記モニタリングを行った結果、データ移動完了の決定スイッチ３３を”ON”とすることにより、条件判定部３０は、マイコン２９に、条件判定結果を送出する。マイコン２９は、マーク設定部２３にＭＦのマークデータ記録開始信号を送出する。
以降の動作は前記実施例と同様である。
【００４９】
以上の構成とすることにより、ユーザの意思決定入力を前記条件入力とすることにより、データ移動動作を完了することができ、データ移動の失敗を排除することができる効果は大である。
【００５０】
次に、図３を用いて前記条件入力別の実施例を説明する。図１と同一機能ブロックについての説明は省略する。
【００５１】
１のＨＤＤから２のＤＶＤ−Ｒへ８のデータ＃０１から１１のデータ＃０４を移動の為の複写する動作は、前記説明同様である。図３は前記条件に、２のＤＶＤ−Ｒを排出完了動作を適用した実施例である。
【００５２】
図３において、前記データ移動を終了した以降からの動作説明を行う。
２のＤＶＤ−Ｒは、リムーバブル記録媒体のため、本装置から取り出すことができる。
ＤＶＤ−Ｒを取り出さない状態では、当該移動の対象となるＡＶデータは、記録再生装置内に閉じた状態で１のＨＤＤと２のＤＶＤ−Ｒに存在している。しかしＤＶＤ−Ｒを取り出すことにより、移動対照となったＡＶデータは、ＨＤＤとＤＶＤ−Ｒに独立して２つ存在することになる。そこで本実施例は１のＨＤＤから選択されたＡＶデータを２のＤＶＤ−Ｒへ移動した後にユーザがＤＶＤ−Ｒをイジェクト操作などによりＤＶＤ−Ｒをはじめとするリムーバブル記録媒体を該記録再生装置から取り出す契機を前記データ移動条件とする。
【００５３】
ユーザはイジェクトスイッチ３３を”ＯＮ”にする。条件判定部３０は、イジェクト動作の実行開始を認識し、マイコン２９へイジェクトコマンドを発行する。２のＤＶＤ−Ｒは、ディスクトレイ３４に乗せられてあって、該ディスクトレイ３４は、モータ３６とリードスクリューメカ３５が回転することにより、ディスクトレイ３４の排出動作及び引き込み動作を行う。マイコン２９は、２のＤＶＤ−Ｒを排出動作するために、ドライバ部３７にモータ３６の回転指令を送出する。モータ３６は、ドライバ部３７からのモータ駆動信号が入力されて、ディスクトレイ３４が排出されるときは正方向に回転、ディスクトレイ３４を引き込むときは逆方向に回転する。
【００５４】
イジェクト完了検出部３８は、ディスクトレイ３４が、完全に排出されたことを検出する。該検出信号はマイコン２９に送信される。マイコン２９はディスクトレイ３４が完全に排出されたことを認識すると、２３のマーク設定部に、マーク設定契機を伝達する。マーク設定部は、２のＤＶＤ−ＲへＡＶデータ移動の為の複写の対象となったデータに対応するＭＦデータを”００”に書き換えることを２４のＷＲ部に伝達する。
【００５５】
以上の構成とすることにより、ＤＶＤ−Ｒのイジェクト排出動作を完了することを契機に、ＭＦデータを書き換えることができる。該ＭＦデータが”００”に対応するデータブロックの読み出しを無効あるいは、消去するなどの処理を行うことができるので、データ移動は完全な状態を実現することができる効果は大である。
【００５６】
次にＭＦデータの状態による８のデータ＃０１から１１のデータ＃４のデータ消去、あるいはデータ読み出し禁止について、以下実施例で具体例を説明する。
【００５７】
図４を用いて前記第一の条件入力の判定結果に応じて１のＨＤＤのＭＦデータの値の内容に応じて、該対応するデータを消去する実施例を説明する。図１と同一機能ブロックについての説明は省略する。
【００５８】
マイコン２９は、２５のＲＤ部に対してＭＦデータの値を読み込むコマンドをデータバス２８を介在して２５のＲＤへ送信する。
ＲＤ部は、ＨＤＤ内のＭＦデータを全て読み込みを行う。
マイコン２９は、順次ＭＦデータの値を取り込み、６１のマーク判定部にＭＦデータを送出する。６１のマーク判定部は、ＭＦデータが「００」であると判定したならば、該ＭＦデータに対応したデータブロックを消去するために、６０の消去制御部にデータ消去指令を送信する。６０の消去制御部は、２４のＷＲ部に対して消去対象となるデータブロックに無効データを上書き記録することにより、ブロックデータの消去動作を実行する。
上記、ＭＦデータの内容により、ＭＦデータに対応したＡＶデータの消去動作は、前記ＭＦデータ書き換え後に引き続いて行ってもよい。
【００５９】
図４において、２のＤＶＤ−Ｒに移動の為に複写した４つのデータブロック（１８のデータ＃０１から２１のデータ＃０４）は、１のＨＤＤ移動の為の複写元の８のデータ＃０１から１１のデータ＃０４に対応している。この移動の為の複写動作により、３のＭＦ１から６のＭＦ４までの４つのＭＦデータは”００”にマークセットされ、それ以外のＭＦデータは”ＦＦ”が設定されるところまでは、前記実施例同様である。
ＭＦデータは、ＭＦ１からＭＦ４までの値が「００」であるため、ＭＦ１からＭＦ４に対応するデータブロック（８のデータ＃０１から１１のデータ＃０４）は、例えば“００”などの無効データに書き換えが行われる。
６０の消去制御部は、ＭＦデータが”００”にマーク設定されている８のデータ＃０１から１１のデータ＃０４をオールゼロデータに書き換えを行う。
以上の構成とすることにより、データ移動先への移動の為のデータ複写が問題なく実行されたと判断した後に、ＭＦデータに応じてデータ移動の対象となるデータ移動元のデータの消去を実行することにより、１のＨＤＤから２のＤＶＤ−Ｒへ完全なるデータ移動を完了することができる効果は大である。
【００６０】
次に、１のＨＤＤの移動の為の複写元ＡＶデータと２のＤＶＤ−Ｒの移動の為の複写先のＡＶデータの比較結果を前記第一の条件とした実施例について図５を用いてその動作を説明する。
【００６１】
本実施例は、移動の為の複写先の記録媒体、ここではＤＶＤ−Ｒを例に上げるが、記録型光ディスクはメーカ毎あるいは、製品ロット毎に記録すべき特性ばらつきが大きいことから、記録品質に大きな差異が生じることがあげられる。すなわち、移動の為の複写元のＨＤＤのデータが１００％移動の為の複写先のＤＶＤ−Ｒへ記録できる保障はない。
ディジタルエラー訂正技術を利用し大半のデータエラーは救済はできるが、特に記録品位が悪い記録型光ディスクの場合は、前記エラー訂正技術を用いても救済できないケースがある。
【００６２】
このような、低品位ＤＶＤ−Ｒなどに対して確実に１のＨＤＤから所望のＡＶデータをＤＶＤ−Ｒへ移動するためには、データ移動先へのデータ移動成功率、あるいは、記録品位結果をユーザに告知、判断させ、ユーザの許可範囲であることが決定されたことを前記第一の条件とする構成とした。パソコンなどのデータと異なり、ＡＶデータは、データ移動の成功率はユーザ毎に判断が異なる。パソコンデータの場合は、１００％のデータ移動は必須であるが、ＡＶデータの場合は、必ずしも１００％である必要性はなく、再生映像品質の許容レベルにより大きく異なる。
【００６３】
図５は、その構成例を示すブロック図である。図１と同一記録ブロックの説明は省略する。
１のＨＤＤから、移動対象となるＡＶデータをユーザは移動データ選択端子７６からマイコン２９に入力する。
【００６４】
マイコン２９は、選択された１のＨＤＤのデータブロック、８のデータ＃０１、９のデータ＃０２、１０のデータ＃０３、１１のデータ＃０４を読み出すようにＲＤへデータ読み出しコマンドを送信する。
【００６５】
ＲＤ部２５は、前記４つのデータブロックを読み出すと共に、それぞれのデータブロックに付加されているＭＦデータの値を判定する。該判定結果が、既にデータ移動されている（ＭＦデータ＝”００”）場合は、７７のＭＦ判定部は、２５のＲＤ部に対してデータバス２８へＡＶデータを出力しないように読み出し制限制御を行う。また、データが未だ移動されていない（ＭＦデータ＝”ＦＦ”）の場合は、７７のＭＦ判定部は、２５のＲＤ部に対してＡＶデータの読み出し許可を与え、２８のデータバスに送出を行う。
【００６６】
次にデータ移動先の２のＤＶＤ−Ｒにおいては、マイコン２９は、１のＨＤＤからのＡＶデータを所定サイズ長毎に一旦ＷＲバッファ７１に読み込みを行い、前記バッファ部が所定サイズにデータ蓄積された契機を元に、２７のＷＲ部へデータを送出し、２のＤＶＤ−Ｒへ順次記録を行っていく。７１のＷＲバッファ部のデータをＤＶＤ−Ｒに書き終えると、該データは、７２のＷＲデータ一旦退避部に格納される。
【００６７】
次に、２９のマイコンは、さきほど前記書き込みされたデータを２のＤＶＤ−Ｒから読み出しを行うために、データ読み出しコマンドを７０のＲＤ部へ送信する。７０のＲＤ部は、前記書き込みされたデータをＤＶＤ−Ｒから読み出しを行い、ＲＤバッファ部７４へ一旦蓄積する。
【００６８】
次に７３のデータ比較部は、前記７２のＷＲデータ退避部の書き込みデータと前記７４のＲＤバッファ部の読み出しデータとのデータ比較を行い、該比較結果を条件判定部３０へ送信する。前記データ比較部７３の比較動作は、順次所定書き込みデータサイズ毎に行われ、１のＨＤＤから２のＤＶＤ−Ｒへ移動すべくＡＶデータ全てに対して行われる。
【００６９】
入力端子７８から前記入力条件にユーザがデータ移動成功率を入力する。例えば、１００％という値を条件判定部３０へ入力する。データ比較部からはは移動データに対するデータ移動性効率が入力される。例えば１００％という値が３０の条件判定部へ入力される。条件判定部３０は、データ移動成功率条件に対して、データ比較部７３からのデータ移動成功率情報により、データ移動成功率判定を行う。判定結果は、マーク設定部２３へ、マーク設定実行信号を送信し、１のＨＤＤのデータ移動マークが設定される。以降の動作は、前記実施例と同様である。
【００７０】
以上の構成とすることにより、ＨＤＤからＤＶＤ−Ｒへのデータ移動は、ベリファイ動作の結果により完了することができる。ＤＶＤ−Ｒへの記録状態が悪い場合、データ移動による失敗を回避することができる。なお、前記端子７８から入力するデータ移動成功率は、１００％以下の値であっても良く、ＤＶＤ−Ｒ移動品質レベルによって、ユーザが許容できる値を入力すればよい。
【００７１】
次に、データ移動成功率の確度をさらに向上させた実施例について図６を用いて説明する。
図１と同一機能ブロックの説明は省略する。本実施例は、前記実施例のベリファイ動作においてデータ不一致となった部分のＤＶＤ−Ｒ側のＡＶデータを視聴する機能を設けることで、ユーザに対して、データ移動成功率の許容値を判断させる構成としている。
【００７２】
データ比較部７３は、書き込みデータとＤＶＤ−Ｒへ書き込み動作に引き続いて、読み出し動作を行ったデータとの比較を行う動作は前記同様であるが、さらに本実施例では、データが不一致となったデータに対応するＤＶＤ−Ｒの位置情報（アドレス）を取り込む構成とした。これを実現するために、データ比較部は、該データに対応するアドレスをＲＤ部７０から読み込みを行い、データ不一致となったアドレスは、エラー位置格納部８３に順次格納する。順次格納されたアドレスは、一時的にＡＶチャプターとして機能する。
【００７３】
ＡＶチャプターとは、映像検索用のポインタ情報であって、ＡＶデータのエラー部分の検索性を向上させる働きをする。
【００７４】
ＨＤＤからＤＶＤ−Ｒへ、選択されたデータの移動動作を終了すると、マイコン２９は、前記チャプター部分の時間、あるいはサムネールなどのＤＶＤ−Ｒ上の位置情報を表示部に表示し、選択入力待ちとなる。ユーザは、表示部に表示されているデータエラーチャプター部分を入力端子８４から選択入力することにより、マイコン２９は、ＲＤ部７０に、前記選択されたチャプタに対応したアドレス部分のデータ読み出しコマンドを送信する。
【００７５】
ＲＤ部７０は、該アドレス部分のデータ読み込みを行い、ＲＤバッファ７４、データバス２８を介在して、ＡＶデコーダ７９に入力される。ＡＶデコーダ７１は、ＡＶデータを復調し元の映像信号として表示部３２へ送出する。ユーザは、データ移動に失敗した部分を限定して順次表示部３２により映像確認することができる。
【００７６】
ユーザは、データ移動に失敗したと指示される場所を視聴し、許容範囲であると判断した場合は、条件入力部３１にデータ移動完了入力を入力する。該条件入力以降の動作は前記実施例と同様である。
【００７７】
以上本実施例によれば、データ移動成功率を数値告知だけでなく、データエラー部分を映像信号に復元した状態で、ユーザに評価させることにより、データ移動成功率の結果判断をユーザはさらに詳細に行うことができる効果は大である。
【００７８】
前記データ移動の評価結果において、ユーザがデータ移動失敗と判断した場合の動作について、図７を用いてその動作を説明する。
図７において、図１と同一機能ブロックの説明は省略する。
【００７９】
ここで、記録媒体のデータ管理部９０について説明する。２のＤＶＤ−Ｒは、ＡＶデータが記録されるデータ領域と、該データの記録開始アドレス、データサイズ、個々のデータリンクなど、データに関連した情報が記録されるデータ管理領域を備えている。このデータ管理領域は、消去、あるいは、データ破壊を行うことにより、データ領域のデータ読み出しは不可能となる。前記データ構造は、ＤＶＤ−Ｒに限らず、全ての記録媒体についても同様である。１のＨＤＤにも図示していなが存在している。ＨＤＤについては、データ管理領域についての動作説明が不要であったことから図示していない。
【００８０】
ユーザがデータ移動失敗と判断した場合においても、ＤＶＤ−Ｒには、不完全な状態においても、ＨＤＤのデータが移動されている。したがって、ＤＶＤ−Ｒをイジェクトする場合は、ＤＶＤ−Ｒのデータを消去あるいは、破壊して排出する必要がある。
記録型光ディスクは、レーザ光により光ディスク上に光マークを形成し、データを記録している。ＤＶＤ−Ｒの場合は、ライトワンス型の特殊な記録媒体である。この記録媒体の場合は、データを消去することはできない。したがって、イジェクト動作の前にデータを破壊する作業となる。
【００８１】
データ破壊方法の一例として、ＷＲ制御部２７は、マイコン２９より、ＤＶＤ−Ｒのデータ破壊コマンドを受け付けると、データ管理部に、通常記録より高いレーザ光を照射させて、データ管理部を破壊する。
【００８２】
データ管理部の破壊動作を終了すると、マイコン２９は、ＲＤ部７０にデータ読み出しコマンドを送信する。ＲＤ部７０は、管理データ部２の参照を行うが、データ部が異常であるため、ＲＤ動作ができないことを認識し、マイコンに、ＤＶＤ−Ｒのデータが破壊されていることを認識させる。マイコン２９は、ＤＶＤ−Ｒが破壊されていることを判断し、イジェクト動作を行う。
【００８３】
以上記録媒体がＤＶＤ−Ｒの場合であるが、リライタブルの記録型光ディスクの場合は、
前記データ管理部を無効データで上書き記録することで、データ管理部を無効にすることができる。データ管理部を破壊あるいは、消去するに限定されることなく、例えば、データ部を全部消去、あるいは破壊しても良い。
【００８４】
データ移動に失敗した場合は、リムーバブル性のデータ移動先記録媒体のデータを無効にする手段であれば、いかなる方法であっても良い。
以上本実施例によれば、データ移動に失敗したＤＶＤ−Ｒを完全にデータ破壊した後にイジェクトすることができ、不完全なデータ複写されたＤＶＤ−Ｒによるデータ流出を防止することができる効果は大である。
【図面の簡単な説明】
【００８５】
【図１】条件判定に従いデータ移動を実行する構成例を示すブロック図である。
【図２】データ移動の確度をユーザが判断する構成例を示すブロック図である。
【図３】データ移動先のリムーバブル記録媒体を排出することを条件として、データ移動を実行する構成例を示すブロック図である。
【図４】データ移動元のデータを消去を実行する構成例を示すブロック図である。
【図５】ベリファイ結果をデータ移動の確度判断しデータ移動を実行する構成例を示すブロック図である。
【図６】データ移動で複写先データエラー部をユーザが確認できる構成例を示すブロック図である。
【図７】データ移動失敗時のデータ複写先データを破壊して排出する構成例を示すブロック図である。
【符号の説明】
【００８６】
１…ハードディスク、  ２…ＤＶＤ−Ｒ、  ３…ＭＦ１、  ８…データ＃０１、
２３…マーク設定部、  ２４…ＷＲ部、  ２５…ＲＤ部、  ２８…データアドレスバス、
２９…マイコン、  ３０…条件判定部、  ３１…条件入力部、  ３２…表示部、
３３…スイッチ、  ３４…ディスクトレイ、  ３５…リードスクリュー、
３６…モータ、  ３７…モータドライバ、  ３８…イジェクト完了検出部、  
６０…消去制御部、  ６１…マーク判定部、  ７１…ＡＶデコーダ、  
７２…ＷＲデータ退避部、  ７３…データ比較部、  ７４…ＲＤバッファ部、  
７６…移動データ選択入力、  ７７…ＭＦ判定部、  
７８…データ移動成功率設定入力部、  ７９…ＷＲバッファ、  
８２…メディア選択入力、  ８３…エラー位置格納部、
８４…エラーチャプタ選択入力部、  ９０…データ管理部
【図１】
2005353180.tif 000003
【図２】
2005353180.tif 000004
【図３】
2005353180.tif 000005
【図４】
2005353180.tif 000006
【図５】
2005353180.tif 000007
【図６】
2005353180.tif 000008
【図７】
2005353180.tif 000009